(57)【要約】【課題】簡素な構造でかつ装着するのみで痙縮を徐々に解除することができる痙縮解除具を提供する。【解決手段】痙縮解除具１は、指骨の上方において指骨の延在方向に沿って配される長尺部２と、長尺部２の先端側に設けられ指の先端側を外側に反らした状態で保持する指保持部３を有している。このため、指保持部３内に指を挿入して指が外側に反る状態で配置して痙縮解除具１を手足の指に装着するのみで痙縮を徐々に解除することができる。【選択図】図１
0003231887.tif 000002
【実用新案登録請求の範囲】
【請求項１】
指骨の上方において指骨の延在方向に沿って配される長尺部と、該長尺部の先端側に設けられ指の先端側を外側に反らした状態で保持する指保持部を有していることを特徴とする痙縮解除具。
【請求項２】
前記長尺部または／および前記指保持部は、平板材にて構成されている請求項１に記載の痙縮解除具。
【請求項３】
前記指保持部は、前記長尺部の先端に設けられた湾曲部または屈曲部と、該湾曲部または屈曲部の先端側に設けられた指裏保持部とを有している請求項１または２に記載の痙縮解除具。
【請求項４】
前記指保持部は、側面視略Ｕ字型に形成されている請求項１ないし３のいずれかに記載の痙縮解除具。
【請求項５】
前記長尺部または／および前記指保持部の内側には緩衝材が設けられている請求項１ないし４のいずれかに記載の痙縮解除具。
【請求項６】
前記指保持部は、指保持用帯状部材を有している請求項１ないし５のいずれかに記載の痙縮解除具。
【考案の詳細な説明】
【技術分野】
【０００１】
本考案は、運動機能障害の一つである痙縮を解除するための痙縮解除具に関するものである。
【背景技術】
【０００２】
脳で筋肉を動かそうとする場合、脳からの指令は脊髄を通って脊髄にある運動神経に伝わり、運動神経が興奮して筋肉が動作する。脳または脳から運動神経までの経路が損傷すると、筋肉が緊張し過ぎて手足が動き難くなったり、勝手に動いてしまったり、手の指が握ったまま開こうとしても開き難い、足先が足の裏側の方に曲がってしまうなどの痙縮の症状が発生する。この状態が長く続くと、筋肉が固まって関節の運動が制限されて拘縮が生じ、日常生活に支障を来す。
【０００３】
現在、この痙縮の治療には、例えば緊張している筋肉を緩和する内服薬の服用、ボツリヌストキシンを注射して筋肉を緊張させている神経の働きを抑制するボツリヌス療法（特表２０２０−５２８８７９号公報）、アルコールやフェノールを、筋肉を緊張させている神経に注射して神経伝達を遮断する神経ブロック療法、または筋肉を緊張させている神経を部分的に切断したり、神経の太さを縮小する外科的療法などがある。
【先行技術文献】
【特許文献】
【０００４】
【特許文献１】特表２０２０−５２８８７９号公報
【考案の概要】
【考案が解決しようとする課題】
【０００５】
本願考案者は、痙縮を解除する新たな装具を想起し本考案に至ったものであり、すなわち、本考案の課題は、簡素な構造でかつ装着するのみで痙縮を解除することができる痙縮解除具を提供することにある。
【課題を解決するための手段】
【０００６】
上記課題を解決するものは、指骨の上方において指骨の延在方向に沿って配される長尺部と、該長尺部の先端側に設けられ指の先端側を外側に反らした状態で保持する指保持部を有していることを特徴とする痙縮解除具である（請求項１）。前記長尺部または／および前記指保持部は、平板材にて構成されていることが好ましい（請求項２）。前記指保持部は、前記長尺部の先端に設けられた湾曲部または屈曲部と、該湾曲部または屈曲部の先端側に設けられた指裏保持部とを有していることが好ましい（請求項３）。前記指保持部は、側面視略Ｕ字型に形成されていることが好ましい（請求項４）。前記長尺部または／および前記指保持部の内側には緩衝体が設けられていることが好ましい（請求項５）。前記指保持部は、指保持用帯状部材を有していることが好ましい（請求項６）
【考案の効果】
【０００７】
請求項１に記載した痙縮解除具によれば、簡素な構造でかつ装着するのみで痙縮を解除することができる。
請求項２に記載した痙縮解除具によれば、指を安定して保持できると共により良好に装着できる。
請求項３または４に記載した痙縮解除具によれば、指を外側に沿った状態でより確実に保持できる。
請求項５に記載した痙縮解除具によれば、装着による違和感や痛みを解消できる。
請求項６に記載した痙縮解除具によれば、テープ部材などを別に用意することなく指を確実に保持することができる。
【図面の簡単な説明】
【０００８】
【図１】本考案の痙縮解除具の一実施例の斜視図である。
【図２】図１に示した痙縮解除具を裏側から視た斜視図である。
【図３】図１に示した痙縮解除具の使用状態を説明するための説明図である。
【図４】図１に示した痙縮解除具の使用状態を説明するための説明図である。
【図５】本考案の痙縮解除具の他の実施例の斜視図である。
【図６】図５に示した痙縮解除具を裏側から視た斜視図である。
【図７】本考案の痙縮解除具の他の実施例の斜視図である。
【図８】図７に示した痙縮解除具を裏側から視た斜視図である。
【図９】図７に示した痙縮解除具の使用状態を説明するための説明図である。
【考案を実施するための形態】
【０００９】
本考案では、指骨の上方において指骨の延在方向に沿って配される長尺部２と、長尺部２の先端側に設けられ指の先端側を外側に反らした状態で保持する指保持部３を有することで、簡素な構造でかつ装着するのみで痙縮を解除することができる痙縮解除具１を実現した。
【実施例１】
【００１０】
本考案の痙縮解除具を図１ないし図４に示した一実施例を用いて説明する。
この実施例の痙縮解除具１は、指骨の上方において指骨の延在方向に沿って配される長尺部２と、長尺部２の先端側に設けられ指の先端側を外側に反らした状態で保持する指保持部３を有している。以下、各構成について順次詳述する。
【００１１】
長尺部２は、指骨の上方において、指骨の延在方向に沿って甲に配される部位であり、この実施例では、平板材にて構成されている。本考案の痙縮解除具は、この長尺部２が指保持部３を支持することにより、指の先端側を外側に反らした状態で維持できるように構成されている。
【００１２】
指保持部３は、指の先端側を外側（指を閉じる方向の内側の逆の方向）に反らした状態で保持するための部位であり、長尺部２の先端に一体に設けられ、湾曲部または屈曲部にて構成されている。具体的には、この実施例の指保持部３は、長尺部２の先端から外方に向かって反るように形成された湾曲部３ａと、湾曲部３ａの先端から屈曲されて指先を覆うように形成された屈曲部３ｂと、屈曲部３ｂの先端から屈曲または湾曲して指裏を保持するように形成された指裏保持部３ｃとを有している。
【００１３】
そして、指保持部３は、図３に示すように、側面視略Ｕ字型に形成されており、略Ｕ字型の内部に指先が侵入して保持されるように構成されている。
【００１４】
なお、長尺部２および指保持部３の構成料として、金属材料、樹脂材料、木質系材料などある程度の強度を有するものであればどのような材料で構成されていてもよいが、この実施例の長尺部２および指保持部３は金属材料にて形成されている。また、長尺部２および指保持部３の内側（裏面側）には、この実施例のように、緩衝体４が設けられていることが好ましい。この緩衝体４は、痙縮解除具１を装着した際の指や甲とのクッション材として機能する部位であり、この実施例では帯状の発泡材料にて形成されている。
【００１５】
つぎに、本考案の痙縮解除具１の使用方法について説明する。
痙縮解除具１の使用に際しては、例えば親指のみである場合は、図３に示すように、指保持部３の略Ｕ字型内に親指を挿入して親指が外側（図３中上側）に反る状態として指の基端部にテープ部材（例えば医療用テープまたはスポーツ用テープなど）１０にて巻回して親指を指保持部３の略Ｕ字型内に配置し、さらに、長尺部２の基端側をテープ部材１０にて腕に巻回して痙縮解除具１を装着する。また、５本の指全部に痙縮解除具１をそれぞれ装着する場合は、図４に示すように、指保持部３の略Ｕ字型内に各指をそれぞれ挿入して各指が外側に反る状態として各指をテープ部材１０にて巻回して指保持部３の略Ｕ字型内に配置すると共に、長尺部２の基端側を束ね、テープ部材１０にて腕に巻回して痙縮解除具１を装着する。このような状態で１日２〜３時間装着すると、約１ケ月〜２月程度で痙縮が解除され元の指の状態に戻る。なお、痙縮解除具１を装着する指は、使用者の痙縮状態によって適宜選択決定される。
【００１６】
さらに、図５または図６に示した本考案の痙縮解除具の他の実施例について説明する。
この実施例の痙縮解除具２０と前述した痙縮解除具１との相違点は、痙縮解除具２０の指保持部３が指保持用帯状部材２１を有している点である。痙縮解除具１と同様の構成部分については同一符号を付し説明を省略する。
【００１７】
具体的には、この実施例の指保持用帯状部材２１は、一端部が指保持部３に取り付けられた帯状の面ファスナーにて構成されている。そして、指保持部３の略Ｕ字型内に指を挿入して指が外側に反る状態として指保持用帯状部材２１にて巻回して、指が指保持部３の略Ｕ字型内に配置するようにして使用する。これにより、テープ部材１０などの別部材が不要となる。
【００１８】
さらに、図７ないし図９に示した本考案の痙縮解除具の他の実施例について説明する。
この実施例の痙縮解除具３０と前述した痙縮解除具１との基本的な相違点は、痙縮解除具１が手の指に装着される痙縮解除具であるのに対して、痙縮解除具３０は足の指に装着される痙縮解除具である点であり基本構造は痙縮解除具１と同様である。
【００１９】
具体的には、この実施例の痙縮解除具３０は、指骨の上方において延在方向に沿って配される長尺部３１と、長尺部３１の先端側に設けられ指の先端側を外側（図９中上側）に反らした状態で保持する指保持部３２を有している。長尺部３１および指保持部３２の裏側には、痙縮解除具１と同様に緩衝体３３，３４がそれぞれ貼設されている。指保持部３２は、長尺部３１の先端から外方に向かって反るように形成された湾曲部３２ａと、湾曲部３２ａの先端から屈曲されて形成され指先を覆う屈曲部３２ｂと、屈曲部３２ｂの先端から屈曲または湾曲して指裏を保持するように形成された指裏保持部３２ｃとを有している。
【００２０】
そして、この実施例の痙縮解除具３０を使用する場合は、図９に示すように、指保持部３２の略Ｕ字型内に足の指を挿入して足の指が外側に反る状態にして装着する。このような状態で、１日２〜３時間程度装着すると、約１ケ月〜２月で痙縮が解除され元の指の状態に戻る。なお、痙縮解除具１を装着する指は使用者の痙縮状態によって適宜選択決定される。
【００２１】
このように、本考案の痙縮解除具は、手の指のみならず、足の指に装着するものも本考案の範疇に包含される。また、図９に示した使用例では、一本の足指のみに使用しているが、複数の足の指に使用してもよい。さらに、単数、複数の足の指に使用した場合、長尺部３１の基端側をテープ部材で巻回して使用してもよい。さらに、図９に示した使用例では、靴下の上から装着しているが、素足に直接装着してもよい。
【符号の説明】
【００２２】
１        痙縮解除具
２        長尺部
３        指保持部
４        緩衝体
【図１】
0003231887.tif 000003
【図２】
0003231887.tif 000004
【図３】
0003231887.tif 000005
【図４】
0003231887.tif 000006
【図５】
0003231887.tif 000007
【図６】
0003231887.tif 000008
【図７】
0003231887.tif 000009
【図８】
0003231887.tif 000010
【図９】
0003231887.tif 000011